(57)【要約】【課題】  解説が必要な観客が能・歌舞伎等の本来の雰囲気を感じながら解説を聞くことができる音響装置を得る。【解決手段】  複数の座席からなる観客席を有する会場に設置する音響装置１０において、可聴音信号によって超音波帯域の搬送波を変調する変調器１２と、観客席の一部の座席に設定された音波の到達領域に対し、変調器１２からの変調信号を超指向性の音波として放射し、超指向性の音波を介して前記座席のみに可聴音を伝達させる放射器１４とを備える。【選択図】        図１
2005223853.tif 000002
【特許請求の範囲】
【請求項１】
複数の座席からなる観客席を有する会場に設置する音響装置において、
可聴音信号によって超音波帯域の搬送波を変調する変調器と、
前記観客席の一部の座席に設定された音波の到達領域に対し、前記変調器からの変調信号を超指向性の音波として放射し、当該超指向性の音波を介して前記座席のみに可聴音を伝達させる放射器と
を備えたことを特徴とする音響装置。
【請求項２】
会場の内壁に吸音材が設置されている場合、超指向性の音波の一次反射波が前記吸音材に到達するように放射器の放射角度を設定することを特徴とする請求項１記載の音響装置。
【発明の詳細な説明】
【技術分野】
【０００１】
この発明は、可聴音を指向性放射する超指向性スピーカを備え、複数の座席からなる観客席を有する能・歌舞伎等の会場に設置される音響装置に関するものである。
【背景技術】
【０００２】
能・歌舞伎等の演劇では、台詞に現代語が使用されないため初心者には理解が困難であることが多く、観劇を楽しむことが難しいものとなっている。そこで現在では、初心者等解説が必要な観客に対してイヤーホン、ヘッドホン等を貸与し、解説を流すことによって理解の手助けをしている。イヤーホン、ヘッドホン等を使用させるのは、会場全体に音声が流れ会場の雰囲気を壊さないようにするためである。
【０００３】
【特許文献１】特開２０００−５４５４号公報
【発明の開示】
【発明が解決しようとする課題】
【０００４】
したがって、初心者等はイヤーホン等を使用して解説を聞くことになるが、イヤーホン等を装着したままだと、能・歌舞伎等の本来の雰囲気を感じることが困難であり、また不衛生である等の課題があった。
【０００５】
この発明は、上記のような課題を解決するためになされたものであり、解説が必要な観客が能・歌舞伎等の本来の雰囲気を感じながら解説を聞くことができる音響装置を得ることを目的とする。
【課題を解決するための手段】
【０００６】
この発明に係る音響装置は、可聴音信号によって超音波帯域の搬送波を変調する変調器と、観客席の一部の座席に設定された音波の到達領域に対し、変調器からの変調信号を超指向性の音波として放射し、超指向性の音波を介して前記座席のみに可聴音を伝達させる放射器とを備えたものである。
【発明の効果】
【０００７】
この発明によれば、音響装置が、複数の座席からなる観客席を有する会場に設置される音響装置が、可聴音信号によって超音波帯域の搬送波を変調する変調器と、観客席の一部の座席に設定された音波の到達領域に対し、変調器からの変調信号を超指向性の音波として放射し、超指向性の音波を介して前記座席のみに可聴音を伝達させる放射器とを備えるように構成したので、従来では会場全体の雰囲気を壊してしまう、他の観客の迷惑となる等の問題により、会場内で解説等の音声を拡声することができなかった能・歌舞伎の会場において、初心者等解説が必要な一部の観客のみに対して解説等の音声を拡声することが可能となる効果がある。
【発明を実施するための最良の形態】
【０００８】
実施の形態１．
図１はこの発明の実施の形態１による音響装置のブロック図である。図に示すように、音響装置１０は音源１１、変調器１２、増幅器１３、放射器１４を備える。
【０００９】
音源１１は可聴音信号を生成する。変調器１２は超音波帯域に属する搬送波を音源１１からの可聴音信号によって変調する。増幅器１３は変調器１２から出力される変調信号を増幅する。放射器１４は増幅器１３から出力される超音波信号を超指向性の音波として空気中に放射する。この音響装置１０は、可聴音を直進性の高い超音波（非可聴音）に変換し、狙った方向に放射するパラメトリックスピーカの原理を応用している。パラメトリックスピーカを利用した場合、放射音は約２０度の広がりで直進する。
【００１０】
ここで、パラメトリックスピーカの基本的な原理について説明する。
パラメトリックスピーカは、可聴音に比べて周波数が高い強力な超音波が、空気を伝搬する過程で発生するひずみ成分を使用することによって、可聴帯域の音を得る原理を採用している。図２はパラメトリックスピーカの原理について説明する図である。図２では、二つの周波数成分ｆ１，ｆ２、およびその差成分ｆ２−ｆ１、和成分ｆ２＋ｆ１を示す。パラメトリックスピーカは二つの周波数成分ｆ１，ｆ２とその差成分ｆ２−ｆ１の関係を利用するものである。二つの周波数成分ｆ１，ｆ２は人間には聞こえない超音波帯域とし、差成分ｆ２−ｆ１はオーディオ帯域に存在するようにすることによって、可聴音が取得できる。超音波の相互作用は、強力な超音波が伝搬過程で歪んでいくという空気の非線形性を利用している。
【００１１】
変調器１２は、上述した可聴音信号に対応する二つの超音波成分を作る機能を有する。すなわち、変調器１２はキャリア信号成分と側波帯を有する信号とを生成する。このキャリア信号成分と側波帯とが二つの周波数成分を構成する。変調方式は、例えば振幅変調方式を用いる。
【００１２】
図３はこの発明の実施の形態１による音響装置１０の使用例を示す図である。図３は能・歌舞伎等の上演会場に音響装置１０を設置していることを示す。能・歌舞伎等の会場には、舞台２、花道３、観客席４等が存在する。花道３は、例えば複数の座席からなる観客席４の中央を縦断するように配置される。このような会場において、本発明による音響装置１０の放射器１４を舞台２の天井部に設置し、放射器１４が観客席４の方向を向くように調整する。音源１１、変調器１２、増幅器１３は放射器１４と共に天井部に配置してもよいし、舞台２の袖等に配置してもよい。
【００１３】
次に動作について説明する。
音源１１は操作者の指示または外部からの指令に応じて可聴音信号を生成して変調器１２に供給する。変調器１２は取得した可聴音信号によって超音波帯域に属する搬送波を変調して増幅器１３に供給する。増幅器１３は変調器１２から取得した変調信号を増幅して放射器１４に供給する。放射器１４は増幅器１３から出力される超音波信号を超指向性の音波として空気中に放射する。放射器１４から放射される音波は、空気の非線形パラメトリック現象により自己復調されて可聴音となる。変調信号が超音波であることにより、空気中で再生される音声信号にも強い指向性を持たせることができる。したがって、解説を必要とする観客のみに音声が到達し、会場全体には拡声されない環境を実現することが可能となる。
【００１４】
各放射器１４が放射する変調信号は、空気中で約２０度の広がりをもって拡声する。音響装置１０の使用者は、観客席４の一部の座席に音波の到達領域を設定し、この到達領域のみに可聴音が到達するように放射器１４を複数設置してもよい。これにより、観客席４の必要な範囲内だけに均一に拡声することが可能となる。
【００１５】
図４は放射器１４から放射される変調信号の反射方向について説明する図である。パラメトリックスピーカでは、指向性の高い超音波を利用しているため、反射の影響を受ける可能性があり、反射音が予期しない場所に到達してしまう恐れがある。そこで、放射器１４から放射される超志向性の音波の一次反射波が会場の壁５に到達するように放射器１４の角度を調節して設置する。壁５および会場の天井面には吸音材を施しておく。図４では、花道３よりも壁５に近い観客席４Ｂに向けて音波が放射されるように放射器１４の角度を調整して設置している。このように設置すると、放射器１４からの音波の一次反射波が壁５または天井面に吸収されるので、反射音の発生を防ぐことができる。したがって、他の観客に音声が伝わらない環境を形成できる。なお、放射器１４の設置角度は会場の構造に応じて調整する必要がある。
【００１６】
以上のように、この実施の形態１によれば、パラメトリックスピーカの原理を応用した音響装置１０を能・歌舞伎を上演する会場に設置することによって、解説等の音声を拡声することができるので、初心者がヘッドホン等を装備する必要がなくなり会場全体の雰囲気を体感しながら解説を聞き観劇できるという効果が得られる。
【００１７】
また、音響装置１０の放射器１４からの超指向性の音波の一次反射波が壁５に到達するように放射器１４の角度を調節するようにしたので、壁５または天井面に吸音材を施すことによって反射音を吸収でき、会場の一部の客席だけに均一の音場を形成できる。したがって、初心者用の解説だけでなく、外国語による放送等、観客のニーズに合わせた音声放送を実現できる環境を提供することができるという効果が得られる。
【００１８】
なお、音響装置１０は音源１１の代わりにアンテナおよび受信機を備え、会場の管理室等から送信される音声情報を受信して、変調器１２に供給するようにしてもよい。
【図面の簡単な説明】
【００１９】
【図１】この発明の実施の形態１による音響装置のブロック図である。
【図２】パラメトリックスピーカの原理について説明する図である。
【図３】この発明の実施の形態１による音響装置の使用例を示す図である。
【図４】同実施の形態１に係る放射器から放射される変調信号の反射方向について説明する図である。
【符号の説明】
【００２０】
２  舞台、３  花道、４，４Ａ，４Ｂ  観客席、５  壁、１０  音響装置、１１  音源、１２  変調器、１３  増幅器、１４  放射器。
【図１】
2005223853.tif 000003
【図２】
2005223853.tif 000004
【図３】
2005223853.tif 000005
【図４】
2005223853.tif 000006